(57)【要約】【課題】  地震による振動その他壁面における各種の挙動を緩衝・吸収してタイル壁面のコーナー部の破損を防止し、施工能率、耐久性に優れ、対人安全性の高いタイル壁面のコーナー部構造の実現とこれに用いる平板タイルを提供する。【解決手段】  タイル裏面の溝部をタイル保持桟に係合してなるタイル壁面におけるコーナー構造であって、互いに隣り合うタイルにより形成されるコーナー部に壁面の振動その他の挙動の緩衝手段を設け、この緩衝手段は、互いに隣り合ってコーナー部を構成する各平板状タイルの端部間に設けたスリット部により構成するとともに湾曲面を構成するコーナー構造と組積むだけで前記コーナー部を能率良く形成できるタイルを実現して、前記課題を解決する。【選択図】  図２
2006283442.tif 000002
【特許請求の範囲】
【請求項１】
タイル裏面の溝部をタイル保持桟に係合してなるタイル壁面におけるコーナー構造であって、互いに隣り合うタイルにより形成されるコーナー部に壁面の振動その他の挙動の緩衝手段を設けたことを特徴とするタイル壁面におけるコーナー構造。
【請求項２】
請求項１において、前記壁面の振動その他の挙動の緩衝手段は、互いに隣り合ってコーナー部を構成する各タイルの端部間に設けたスリット部により構成するとともに隣り合うタイル端部外側面の少なくともいずれか一方は断面円弧状に形成したことを特徴とするタイル壁面におけるコーナー構造。
【請求項３】
請求項２において、前記スリット部は一方のタイル端部に形成した薄肉部とこの薄肉部に間隙を有して対向する他方のタイル側端面とで構成するとともに前記薄肉部の端部外側面は断面円弧状に形成したことを特徴とするタイル壁面におけるコーナー構造。
【請求項４】
請求項２において、前記スリット部は、隣り合う各タイルの互いに対向する側端部の裏面側の角部に形成された隅切面を所定の間隙を保持して対向させることにより構成するとともに、前記タイルの隣り合う端部外側面は円弧状に形成したことを特徴とするタイル壁面におけるコーナー構造。
【請求項５】
タイル裏面の溝部をタイル保持桟に係合してなるタイル壁面におけるコーナー構造のためのタイルであって、タイルの横方向の端部に断面Ｌ字状の切り欠き部を形成し、タイルの横方向における切り欠き部の長さは当該タイルに隣接してコーナー部を形成するタイルの厚さとほぼ同一に形成するとともに前記切り欠き部の端部外側面は断面円弧状に形成したことを特徴とするタイル。
【請求項６】
タイル裏面の溝部をタイル保持桟に係合してなるタイル壁面におけるコーナー構造のためのタイルにおいて、隣り合うタイル同士の側端部を間隙を介して近接させてコーナー部を形成するために前記側端部の裏面側の隅部に隅切面を形成するとともに、コーナーに位置する端部外側面を断面円弧状に形成して、隣り合うタイルの隅切面同士を所定間隙をおいて対向させて形成されるコーナー部が断面ほぼ円弧状に形成できるようにしたタイル。      
【請求項７】
端部表面側は断面円弧状に、またこの円弧状端部裏側は薄肉にそれぞれ形成され、前記薄肉部に所定の間隙をもってタイルを隣設配置することにより前記間隙によるタイル挙動を緩衝できる断面円弧状のコーナー部を形成できるようにしたタイル。
【発明の詳細な説明】
【技術分野】
【０００１】
本願発明は、いわゆる乾式工法によるタイル壁面のコーナー部構造とこれに使用する乾式工法用タイルに関し、詳しくは建造物のタイル壁面におけるコーナー部に壁面の振動その他の挙動の緩衝手段を有する曲面コーナー部構造ならびにこれに使用するタイルに関するものである。
【背景技術】
【０００２】
モルタル等による貼りつけに替え、タイル裏面の溝部を保持桟に係合してタイル張設をなしていく、いわゆる乾式タイル張り工法は作業が簡便でモルタル等による湿式工法に比較して作業熟練性がそれほど要求されない、工期が短い、天候による作業への影響が少ない等々の利点があり、今日では種々の場面で採用されている。  そして、壁面の交差するコーナー部には、図５に示すような役物とも称されるＬ字状に一体形成されたコーナータイルが使用され、直角のコーナー部を構成することになる。
なお、本願発明に関連する文献とした以下のものが存在する。
【特許文献１】特開２００４−３２６９号公報
【特許文献２】特願２００２−８３７４８
【発明の開示】
【発明が解決しようとする課題】
【０００３】
しかしながら、上記従来の技術には以下のような不都合が生じている。
イ：コーナー部にはＬ字状に一体形成されたコーナータイルが使用されているため、地震その他により建造物に振動が発生する場合、コーナー部を形成する二つの壁面においてそれぞれ異なる周波数により振動したり、あるいは振動方向が異なる場合等にコーナー部のコーナータイルには複数方向の応力が生じてコーナータイルは破断する。このことは、地震の場合に限らず建造物、壁面になんらかの挙動による応力が生じた場合も同様である。
ロ：コーナー部を構成するコーナータイルは、壁面の一般部のタイルと異なり、Ｌ字状に一体形成されるため、製造コストが高くなるばかりでなく、運搬、取り扱いの面でも煩雑であり、結局はトータルコストの増加の要因となる。
【課題を解決するための手段】
【０００４】
本願発明は、タイル裏面の溝部をタイル保持桟に係合してなるタイル壁面におけるコーナー構造において、互いに隣り合うタイルにより形成されるコーナー部に壁面の振動その他の挙動の吸収手段を設けることにより、上記従来の課題を解決しようとするものである。
【０００５】
前記において、前記壁面の振動その他の挙動の緩衝手段は、互いに隣り合ってコーナー部を構成する各タイルの端部間に設けたスリット部により構成するとともに隣り合うタイル端部外側面の少なくともいずれか一方は断面円弧状に形成することがある。
【０００６】
また、前記において、前記スリット部は一方のタイル端部に形成した薄肉部とこの薄肉部に間隙を有して対向する他方のタイル側端面とで構成するとともに前記薄肉部の端部外側面は断面円弧状に形成することがある。
【０００７】
さらに、前記において、前記スリット部は、隣り合う各タイルの互いに対向する側端部の裏面側の角部に形成された隅切面を所定の間隙を保持して対向させることにより構成するとともに、前記タイルの隣り合う端部外側面は円弧状に形成することがある。
【０００８】
また、本願発明は、タイル裏面の溝部をタイル保持桟に係合してなるタイル壁面におけるコーナー構造のためのタイルであって、タイルの横方向の端部に断面Ｌ字状の切り欠き部を形成し、タイルの横方向における切り欠き部の長さは当該タイルに隣接してコーナー部を形成するタイルの厚さとほぼ同一に形成するとともに前記切り欠き部の端部外側面は断面円弧状に形成することにより上記従来の課題を解決しようとするものである。
【０００９】
さらに、本願発明は、タイル裏面の溝部をタイル保持桟に係合してなるタイル壁面におけるコーナー構造のためのタイルにおいて、隣り合うタイル同士の側端部を間隙を介して近接させてコーナー部を形成するために前記側端部の裏面側の隅部に隅切面を形成するとともに、コーナーに位置する端部外側面を断面円弧状に形成して、隣り合うタイルの隅切面同士を所定間隙をおいて対向させて形成されるコーナー部が断面ほぼ円弧状に形成できるようにしたタイルを提供して、上記従来の課題を解決しようとするものである。  
【００１０】
また、本願発明は、端部表面側は断面円弧状に、またこの円弧状端部裏側は薄肉にそれぞれ形成され、前記薄肉部に所定の間隙をもってタイルを隣設配置することにより前記間隙によるタイル挙動を緩衝できる断面円弧状のコーナー部を形成できるようにしたタイルを提供して、上記従来の課題を解決しようとするものである。
【発明の効果】
【００１１】
本願発明に係るタイル壁面におけるコーナー構造は、上述のように、Ｌ字状のコーナータイルを使用せず、互いに隣り合う平板タイルにより形成されるコーナー部に壁面の振動その他の挙動の緩衝手段を設け、この緩衝手段は、互いに隣り合ってコーナー部を構成する各タイルの端部間に設けた対向間隙部により構成するとともにコーナー部を曲面状に警醒したので、地震による振動その他壁面における各種の挙動を緩衝・吸収するため、コーナー部の破損を防止できかつコーナー部分が曲面になるので耐久性、安全性、意匠性が向上しる。  また、コストが高く、取り扱いも種々の煩雑性を要するコーナータイルに替えて平板状のタイルを使用するため施工能率も高まりトータルコストも低減できる。
【実施例】
【００１２】
図面にもとづいて、コーナー構造とこれに用いるタイルの実施例を併せて説明する。  図１は、本願発明に係るコーナー構造とこれに用いるタイルの第１実施例を示す図であり、図１（ａ）はコーナー構造の横断面図、図１（ｂ）はタイルの斜視図である。図１（ａ）において、互いに隣り合うタイル１ａ、１ｂにより形成されるコーナー部には、タイル１ａ、１ｂを張設してなる壁面（ボード又は躯体面を下地とする）２の振動その他の挙動の緩衝吸収手段としてのスリット部３が形成されている。このスリット部３は、コーナー部を構成する各タイル１ａ、１ｂの端部間に設けた所定の間隙により形成されている。
【００１３】
上記コーナー部に用いる各タイルのうち１ａは、従来のような溝部がタイル裏面の全長にわたり形成されたものである。  他方、タイル１ｂは図１（ｂ）に示すように、タイル１ｂの裏面１ｂ１には断面台形状の溝部１ｂ２がタイルの長手方向に形成されており、溝部１ｂ２は、タイルの一端（図で左端）で開口し、他端（図で右方）では止め部Ｓにより閉止されている。この止め部Sにより、コーナー部において外面に溝部が露出するのを防止し意匠性を高めている。また、前記止め部Sの表面側S1は断面円弧状に形成されている。  この結果、図１（a）に示すようにコーナー部は断面がほぼ円弧状に形成されることになり、角型コーナー部に比較してなんらかの外力によるタイルの欠損を有効に防止できて、建造物の耐久性が高まり、また、角部がないため対人安全性を確保できるばかりか意匠性の向上も期待できる。
なお、以上の各タイルの溝部をボード又は躯体下地に設けたタイル保持桟に係合することによりタイル壁面が形成される。
このようにして、タイル壁面のコーナー部では、図１（ａ）に示すように、一方の壁面のタイル１ａの側端部１ｃと他方側の壁面のタイル１ｂの裏面端部１ｄとの間にスリット３を形成するようにして緩衝手段を構成して、地震による振動や、タイル壁面に生じるその他の挙動を吸収させる。
【００１４】
また、タイル１は各種焼き物タイルでも、セメントタイルを問わないが、この実施形態ではいわゆる擬石タイルが使用されている。  ここで、擬石タイルとはセメントタイルの表面処理により古煉瓦の風合いを有する質感と色合を表現したもので、処理方法により各種のものが得られ、静雅で趣のあるたたずまいを演出できる。
【００１５】
図２は、本願発明に係るコーナー構造とこれに用いるタイルの第２実施例を示す図であり、図２（ａ）はコーナー構造の横断面図、図２（ｂ）はタイルの斜視図である。
図２（ａ）において、互いに隣り合うタイル１１ａ、１１ｂにより形成されるコーナー部には、タイルを張設してなる壁面（ボード又は躯体面を下地とする）２の振動、その他の挙動の緩衝手段としてのスリット部３１が形成されている。  このスリット部３１は一方のタイル１１ｂ端部に形成した薄肉部１１ｃとこの薄肉部１１ｃに間隙を有して対向する他方のタイル１１ａの側端面とで構成されている。
【００１６】
上記コーナー部に用いるタイル１１ｂは、図２（ｂ）に示すようにいわゆる乾式張設に用いられる周知のタイルの一端部に切り欠き部を設けて薄肉部１１ｃを形成した平板状のもので、薄肉部１１ｃの端部表面側11dは断面円弧状に形成されている。  また、この薄肉部１１ｃの長手方向の距離Ｌはタイル１１ａの厚さと同一に設定されていて、図２（ａ）に示すようにコーナー部を形成した場合に、タイル１１ａの表面と薄肉部１１ｃの先端とが同一線上に位置する。  かくして、コーナー部は図２（a）に示すように断面ほぼ円弧状に構成されることになり、角型コーナー部に比較してなんらかの外力によるタイルの欠損を有効に防止できて、建造物の耐久性が高まり、また、角部がないため対人安全性を確保できるばかりか意匠性の向上も期待できる。
そして、タイル壁面のコーナー部では、図２（ａ）に示すように、一方の壁面のタイル１１ａの側端部と他方側の壁面のタイル１１ｂの薄肉部１１ｃとの間にスリット部３１を形成するようにして緩衝手段を構成して、地震による振動や、タイル壁面に生じるその他の挙動を吸収させる。
また、タイルの種類も上記第１実施形態に述べたように必要に応じて各種選択できる。
【００１７】
図３は、本願発明に係るコーナー構造とこれに用いるタイルの第３実施例を示す図であり、図３（ａ）はコーナー構造の横断面図、図３（ｂ）はタイルの斜視図である。
図３（ａ）において、互いに隣り合うタイル１２、１２により形成されるコーナー部には、タイルを張設してなる壁面（ボード又は躯体面を下地とする）２の振動、その他の挙動の緩衝手段としてのスリット部３２が形成されている。  このスリット部３２は、隣り合う各タイル１２の互いに対向する側端部の裏面側の角部に形成された隅切面１２ａを所定の間隙を保持して対向させることにより構成されている。
【００１８】
上記コーナー部に用いるタイル１２は、図３（ｂ）に示すように、いわゆる乾式張設に用いられる周知のタイルの側端部１２ｂのタイル裏面側１２ｃの隅部に隅切面１２ａを形成し、隣り合うタイル１２，１２の隅切面１２ａ同士を所定間隙をおいて対向させ、コーナー部を形成できるようにした平板状のタイルであり、側端部１２ｂの表面側１２ｃは断面円弧状に形成されている  こため、図３（a）に示すようにコーナー部は断面円弧状に形成され、角型コーナー部に比較してなんらかの外力によるタイルの欠損を有効に防止できて、建造物の耐久性が高まり、また、角部がないため対人安全性を確保できるばかりか意匠性の向上も期待できる。
そして、タイル壁面の直角コーナー部では、図３（ａ）に示すように、一方の壁面のタイル１２の隅切面１２ａと他方側の壁面のタイル１２の隅切面１２ａとの間にスリット部３２を形成するようにして緩衝手段を構成し、地震による振動や、タイル壁面に生じるその他の挙動を吸収させる。
なお、タイルの種類も上記第１実施形態に述べたように必要に応じて各種選択できる。
【００１９】
図４は、本願発明に係るコーナー構造とこれに用いるタイルの第４実施例を示す斜視図である。  図において、互いに隣り合うタイル１３、１４により形成されるコーナー部には、タイルを張設してなる壁面（ボード又は躯体面を下地とする）の振動、その他の挙動の緩衝手段としてのスリット部４２が形成されている。  すなわち、タイル１３の端部には裏側面を切り欠いて薄肉部１３が形成され、タイル１４の端部裏側も切り欠いて薄肉部１４aが形成され、両タイルの切欠き部分を空隙をおいて対向配設させることによりスリット部４２を有する断面円弧状のコーナー部が形成されることになり、角型コーナー部に比較してなんらかの外力によるタイルの欠損を有効に防止できて、建造物の耐久性が高まり、また、角部がないため対人安全性を確保できるばかりか意匠性の向上も期待できる。
【図面の簡単な説明】
【００２０】
【図１】本願発明に係るコーナー構造とこれに用いるタイルの第１実施例を示す図であり、図１（ａ）はコーナー構造の横断面図、図１（ｂ）はタイルの斜視図である。
【図２】本願発明に係るコーナー構造とこれに用いるタイルの第２実施例を示す図であり、図２（ａ）はコーナー構造の横断面図、図２（ｂ）はタイルの斜視図である。
【図３】本願発明に係るコーナー構造とこれに用いるタイルの第３実施例を示す図であり、図３（ａ）はコーナー構造の横断面図、図３（ｂ）はタイルの斜視図である。
【図４】本願発明に係るコーナー構造とこれに用いるタイルの第４実施例を示す斜視図である。
【図５】従来のコーナータイルを示す斜視図である。
【符号の説明】
【００２１】
１ａ，１ｂ．．．タイル
２．．．．．．．壁面（ボード又は躯体面を下地とする）
３,３１,３２,４２．．．．．．．緩衝手段としてのスリット部
１１ａ．．．．．タイル
１１ｂ．．．．．薄肉部（切り欠き部）を有するタイル
１１ｃ．．．．．薄肉部（切り欠き部）
１２．．．．．．隅切面を有するタイル
１２ａ．．．．隅切面
S1、１１ｄ、１２ｃ、１３ｂ．．．．．断面円弧状面（湾曲面）
【図１】
2006283442.tif 000003
【図２】
2006283442.tif 000004
【図３】
2006283442.tif 000005
【図４】
2006283442.tif 000006
【図５】
2006283442.tif 000007